(57)【特許請求の範囲】
【請求項１】
個体を識別する為の個体識別情報を含む信号である個体識別信号を送信する送信装置が存在する所定の対象空間を撮影して映像情報を取得する複数の撮影手段と、
前記個体識別信号の発信場所を特定する為の空間分解能を有し、前記送信装置から送信される個体識別信号を受信する受信手段と、
前記撮影手段によって取得した前記映像情報と、前記受信手段によって受信した前記個体識別信号の発信場所とを対応付ける統括手段と、
を具備するものであり、
前記撮影手段及び前記受信手段は、前記対象空間に対して少なくとも２方向に設置され、
前記統括手段は、前記送信装置の概略位置を三次元的に識別することを特徴とする個体情報識別システム。
【請求項２】
前記撮影手段及び前記受信手段は、それぞれ受光部を含み、
前記撮影手段の各々における受光部と、前記受信手段の各々における受光部とは、それぞれ対応する前記撮影手段と前記受信手段との受光部同士で略同一の光軸を有する
ことを特徴とする請求項１に記載の個体情報識別システム。
【請求項３】
前記受信手段は、複数の信号受信装置を有し、
前記信号受信装置は、
受信した信号のうち前記個体識別信号のみを抽出する為の抽出手段と、
前記抽出手段により抽出された前記個体識別信号を電圧信号に変換する変換手段と、
前記変換手段から出力された電圧信号における低周波成分を遮断する処理を行うフィルタ手段と、
前記フィルタ手段から出力された信号の波形をデジタル化するデモジュレータと、
前記デモジュレータよってデジタル化された信号を一時格納する記憶手段と、
前記記憶手段から信号を読み出して、デコード処理によって誤り検出を行う誤り検出手段と、
を備えることを特徴とする請求項２に記載の個体情報識別システム。
【請求項４】
前記誤り検出手段は、誤り検出処理を行った結果、誤りが検出されなかった場合には、前記記憶手段から読み出した信号から個体識別情報を抽出し、該個体識別情報を前記統括手段に送信することを特徴とする請求項３に記載の個体情報識別システム。
【請求項５】
前記送信装置は、
各々の当該送信装置に特有の経時的パターンで発光する発光素子と、
前記送信装置同士で互いに異なるように各々の当該送信装置毎に付与された前記個体識別情報を保持している識別情報記憶手段と、
前記識別情報記憶手段によって保持されている前記個体識別情報を読み取り、前記個体識別情報を所定の発光パターンに変換して、前記発光素子を点滅させる駆動回路と、
を備えることを特徴とする請求項２乃至請求項４のうち何れか一つに記載の個体情報識別システム。
【請求項６】
前記送信装置は、前記個体識別信号を送信する際に、送信休止時間をランダムに設ける
ことを特徴とする請求項５に記載の個体情報識別システム。
【請求項７】
前記送信装置が送信する個体識別信号は、各々の送信装置毎に付与された前記個体識別情報を、誤り検出符号でエンコード処理した信号光であることを特徴とする請求項６に記載の個体情報識別システム。
【請求項８】
前記送信装置は、前記所定の空間に入る人間に装着され、
各々の前記送信装置毎に付与された前記個体識別情報と、当該送信装置を装着する人間に関する個人特定情報と、を対応付ける為の登録装置を更に具備することを特徴とする請求項７に記載の個体情報識別システム。
【請求項９】
前記登録装置は、前記所定の空間へ出入りする為の扉の電磁ロック及びその解除を行う装置であり、
前記信号受信装置と同様の構成を採る信号受信登録手段と、
前記個人特定情報が記録された磁気カードを読み取る為の読み取り手段と、
を備え、
前記磁気カードが前記読み取り手段に読み取られ且つ前記送信装置から送信された個体識別信号が前記信号受信登録手段により受信されると、当該登録装置は電磁ロックの解除を行うと共に、前記信号受信登録手段が検出した前記個体識別情報と、前記磁気カードから読み出した前記個人特定情報とを対応付け、この対応付けによって作成した対応情報を、前記統括手段に送信することを特徴とする請求項８に記載の個体情報識別システム。
【請求項１０】
焦点距離ｆの凸レンズが、当該撮影手段の瞳から前記距離ｆだけ被写体側へ離れた位置に設けられ、前記凸レンズを底面とする柱状の空間を撮影して映像情報を取得する平行視野撮影手段と、前記個体識別信号の発信場所を特定する為の空間分解能を有し、前記平行視野撮影手段によって撮影される監視対象空間に存在する送信装置から送信される個体識別信号を受信する受信手段と、を有する平行視野ＩＤ識別撮影手段と、
前記平行視野撮影手段によって取得した映像情報と、前記受信手段によって受信した前記個体識別信号の発信場所とを対応付ける統括手段と、
を具備し、
前記平行視野ＩＤ識別撮影手段は、前記監視対象空間に対して少なくとも２方向に設置され、
前記統括手段は、前記送信装置の概略位置を三次元的に識別し、
前記撮影手段の各々における受光部と、前記受信手段の各々における受光部とは、それぞれ対応する前記撮影手段と前記受信手段との受光部同士で略同一の光軸を有する
ことを特徴とする個体情報識別システム。
【請求項１１】
前記凸レンズはフレネルレンズによって構成されていることを特徴とする請求項１０に記載の個体情報識別システム。
【請求項１２】
前記監視対象空間における天井面には、複数の前記平行視野ＩＤ識別撮影手段が、前記凸レンズを前記監視対象空間に向けて配列されていることを特徴とする請求項１１に記載の個体情報識別システム。
【請求項１３】
前記受信手段は、複数の信号受信装置を有し、
前記信号受信装置は、
受信した信号のうち前記個体識別信号のみを抽出する為の抽出手段と、
前記抽出手段により抽出された前記個体識別信号を電圧信号に変換する変換手段と、
前記変換手段から出力された電圧信号における低周波成分を遮断する処理を行うフィルタ手段と、
前記フィルタ手段から出力された信号の波形をデジタル化するデモジュレータと、
前記デモジュレータよってデジタル化された信号を一時格納する記憶手段と、
前記記憶手段から信号を読み出して、デコード処理によって誤り検出を行う誤り検出手段と、
を備えることを特徴とする請求項１２に記載の個体情報識別システム。
【請求項１４】
前記誤り検出手段は、誤り検出処理を行った結果、誤りが検出されなかった場合には、前記記憶手段から読み出した信号から個体識別情報を抽出して、該個体識別情報を前記統括手段に送信することを特徴とする請求項１３に記載の個体情報識別システム。
【請求項１５】
前記送信装置は、
各々の当該送信装置に特有の経時的パターンで発光する発光素子と、
前記送信装置同士で互いに異なるように各々の当該送信装置毎に付与された前記個体識別情報を保持している識別情報記憶手段と、
前記識別情報記憶手段によって保持されている前記個体識別情報を読み取り、前記個体識別情報を所定の発光パターンに変換して、前記発光素子を点滅させる駆動回路と、
を備えることを特徴とする請求項１４に記載の個体情報識別システム。
【請求項１６】
前記送信装置は、前記個体識別信号を送信する際に、送信休止時間をランダムに設ける
ことを特徴とする請求項１５に記載の個体情報識別システム。
【請求項１７】
前記送信装置が送信する個体識別信号は、各々の送信装置毎に付与された前記個体識別情報を、誤り検出符号でエンコード処理した信号光である
ことを特徴とする請求項１６に記載の個体情報識別システム。
【請求項１８】
前記送信装置は、前記所定の空間に入る人間に装着され、
各々の前記送信装置毎に付与された前記個体識別情報と、当該送信装置を装着する人間に関する個人特定情報と、を対応付ける為の登録装置を更に具備することを特徴とする請求項１７に記載の個体情報識別システム。
【請求項１９】
前記登録装置は、前記所定の空間へ出入りする為の扉の電磁ロック及びその解除を行う装置であり、
前記信号受信装置と同様の構成を採る信号受信登録手段と、
前記個人特定情報が記録された磁気カードを読み取る為の読み取り手段と、
を備え、
前記磁気カードが前記読み取り手段に読み取られ且つ前記送信装置から送信された個体識別信号が前記信号受信登録手段により受信されると、当該登録装置は電磁ロックの解除を行うと共に、前記信号受信登録手段が検出した前記個体識別情報と、前記磁気カードから読み出した前記個人特定情報とを対応付け、この対応付けによって作成した対応情報を、前記統括手段に送信することを特徴とする請求項１８に記載の個体情報識別システム。
【発明の詳細な説明】
【技術分野】
【０００１】
本発明は、例えば手術室や工場等の複数の人間や機器等が移動する場面を映像によって監視する為の個体情報識別システムに関する。
【背景技術】
【０００２】
従来より、複数の人間や機器等が移動する場面において、それら人間や機器等の位置を検出する為の技術は種々提案されている。例えば病院内における患者や看護師の位置を検出する為の技術として、次のような技術が提案されている。
【０００３】
例えば、特許文献１には、病院内において入院患者等の位置を検出するにあたり、院内地図と患者等の位置を表示する表示装置と、患者等のＩＤを記憶したＲＦＩＤチップを内蔵した靴、スリッパ等の履物と、病院内の病室及びトイレ、通路等の共用部に配置され前記ＲＦＩＤチップに無線で給電し、ＩＤを認識し無線ＬＡＮ設備で送出するための床設備と、床設備で認識されたＩＤを床設備の位置情報とともに送出する位置検出装置制御部と、位置検出装置制御部により送出されたＩＤを予め登録されている患者等のＩＤと照合し、一致したとき、ＩＤ、ＩＤに対応する患者等の情報および床設備の位置情報を表示装置で表示するためのパーソナルコンピュータとを備えている病院内人物位置検出システムが開示されている。
【０００４】
そして、この特許文献１に開示されている病院内人物位置検出システムによれば、位置検出精度が高く、保守の手間が少なく、機器の携帯を意識させず、病室などの閉ざされたエリアをも検出可能となる。
【０００５】
また、特許文献２には、病棟内の各領域にその領域を示す位置データを送信する赤外送信機を設置し、患者には赤外送信機から送信される位置データを受信し、その位置データに識別コード、心電図データ及びナースコールデータを付加した患者位置データをＦＭ変調して送信する医用送信機を携帯させ、医師室や看護婦室等には患者が携帯した医用送信機から送信される患者位置データを受信し、その患者位置データに基づいて表示部に心電図波形、心拍数、患者の居場所、患者の名前等を表示すると共に記録部からプリントアウトするモニタを設置する患者位置検出システムが開示されている。
【０００６】
そして、この特許文献２に開示されている患者位置検出システムによれば、病棟内における患者の居場所を検出することができる。
【０００７】
ところで、例えば複数の人間や機器等が移動する場面を監視する為の技術としては、例えば監視カメラにより当該場面を撮影し、該撮影により取得した映像を所定の表示手段に表示させ、その映像を監視者が監視するという監視システムが知られている。このような監視システムによれば、監視者は、当該映像に映っている領域中であれば、どこに人間が存在してどのような行動をとっているか、及びどこに機器等が存在してどのように移動させられているか或いは用いられているかを、目視によってリアルタイムで一目瞭然に把握することができる。そして、この利点は、前記特許文献１及び特許文献２に開示されている技術には無い利点である。
【特許文献１】特開２００５−２７８７９１号公報
【特許文献２】特開平１０−２４８８１６号公報
【発明の開示】
【発明が解決しようとする課題】
【０００８】
しかしながら、上述した監視システムでは、監視者は当該映像に映っている人間が誰であるのか、また機器等が何であるのかを特定することまでは通常できない。特に、例えば手術室や工場等のように複数の人間が同様の衣服等を着用している場合等には、当該映像に映っている人間等を同定することは、より一層困難となる。
【０００９】
本発明は、前記の事情に鑑みて為されたもので、監視用カメラで撮影して取得した映像中に映っている人物等を、単に当該映像を目視することのみで同定できることができる個体情報識別システムを提供することを目的とする。
【課題を解決するための手段】
【００１０】
上記の目的を達成するために、請求項１に記載の本発明による個体情報識別システムは、個体を識別する為の個体識別情報を含む信号である個体識別信号を送信する送信装置が存在する所定の対象空間を撮影して映像情報を取得する複数の撮影手段と、前記個体識別信号の発信場所を特定する為の空間分解能を有し、前記送信装置から送信される個体識別信号を受信する受信手段と、前記撮影手段によって取得した前記映像情報と、前記受信手段によって受信した前記個体識別信号の発信場所とを対応付ける統括手段と、を具備するものであり、前記撮影手段及び前記受信手段は、前記対象空間に対して少なくとも２方向に設置され、前記統括手段は、前記送信装置の概略位置を三次元的に識別することを特徴とする。
【００１１】
上記の目的を達成するために、請求項１０に記載の本発明による個体情報識別システムは、焦点距離ｆの凸レンズが、当該撮影手段の瞳から前記距離ｆだけ被写体側へ離れた位置に設けられ、前記凸レンズを底面とする柱状の空間を撮影して映像情報を取得する平行視野撮影手段と、前記個体識別信号の発信場所を特定する為の空間分解能を有し、前記平行視野撮影手段によって撮影される監視対象空間に存在する送信装置から送信される個体識別信号を受信する受信手段と、を有する平行視野ＩＤ識別撮影手段と、前記平行視野撮影手段によって取得した映像情報と、前記受信手段によって受信した前記個体識別信号の発信場所とを対応付ける統括手段と、を具備し、前記平行視野ＩＤ識別撮影手段は、前記監視対象空間に対して少なくとも２方向に設置され、前記統括手段は、前記送信装置の概略位置を三次元的に識別し、前記撮影手段の各々における受光部と、前記受信手段の各々における受光部とは、それぞれ対応する前記撮影手段と前記受信手段との受光部同士で略同一の光軸を有することを特徴とする。
【発明の効果】
【００１２】
本発明によれば、監視用カメラで撮影して取得した映像中に映っている人物等を、単に当該映像を目視することのみで同定できることができる個体情報識別システムを提供することができる。
【発明を実施するための最良の形態】
【００１３】
以下、図面を参照して本発明の実施形態に係る個体情報識別システムを説明する。
【００１４】
[第１実施形態]
図１は、本発明の第１実施形態に係る個体情報識別システムの一構成例を示す図である。図１に示すように、本第１実施形態に係る個体情報識別システムは、ＩＤ識別カメラ１と、図１に示す統括装置６とを具備する。
【００１５】
なお、図１に示す光学系は、前記ＩＤ識別カメラ１の原理を説明する為に便宜的に簡略化して示す光学系である。つまり、現実の実施においては、当然ながら種々の収差を補正する光学系や絞り等を適宜付加することが好ましい。
【００１６】
同図に示すように、前記ＩＤ識別カメラ１は、所定の領域を撮影して映像情報を取得する為の撮影手段２と、ＩＤ信号（詳細は後述）の発信場所を特定する為の空間分解能を有しており、該ＩＤ信号を受信する受信装置４と、を有する。
【００１７】
また、前記撮影手段２及び前記受信装置４は、前記撮影手段２によって取得した映像情報と、前記受信装置４によって受信された前記ＩＤ信号の発信場所とを対応付ける前記統括装置６に接続されている。
【００１８】
そして、前記撮影手段２及び前記受信装置４に、撮影対象からの光束を導く為の光学系として、本第１実施形態においては撮影レンズ１１とビームスプリッタ１３とを備える光学系８が設けられている。
【００１９】
前記撮影手段２は、例えばＣＣＤ（Ｃｈａｒｇｅ  Ｃｏｕｐｌｅｄ  Ｄｅｖｉｃｅ  ）等の撮像素子であるカメラ受光面２Ａと、前記カメラ受光面２Ａから出力される電気信号を映像信号に変換して出力するカメラ制御装置（Ｃａｍｅｒａ  Ｃｏｎｔｒｏｌ  Ｕｎｉｔ  ；以降、ＣＣＵと称する）２Ｂと、を備える。この撮影手段２によって取得されるデジタル動画映像（以降、単に映像情報と称する）は、例えば図２に示すような映像である。
【００２０】
前記受信装置４は、複数のＩＤ信号受信装置４Ａ（図４を参照して詳細に説明する）を備える。そして、ＩＤ信号受光面４Ａ１１は、図３に示すようにＩＤ信号を受信する為の光検出デバイスの集合体であり、各々のＩＤ信号受信装置４Ａの受光面であるＩＤ信号検出面４Ａ１を複数配列して構成される。
【００２１】
なお、図３（ａ）は、受信装置４が９チャネルのＩＤ信号受信装置４Ａによって構成されている場合の構成を示しており、このようにＩＤ信号検出面４Ａ１を並べてＩＤ信号受光面４Ａ１１を構成する。ここでは９チャネル分のＩＤ信号検出面４Ａ１を格子状に並べ、且つそれらＩＤ信号検出面４Ａ１に対応する各々のＩＤ信号受信装置４Ａに対して図３（ｂ）に示すようにチャネル番号を割り当てている例を示している。
【００２２】
前記ビームスプリッタ１３は、前記撮影レンズ１１を介して当該ＩＤ識別カメラ１に入射した光を、前記カメラ受光面２Ａと前記ＩＤ信号受光面４Ａ１１とに同一の光軸を有するように入射させる為の部材である。
【００２３】
なお、前記撮影レンズ１１を介して当該ＩＤ識別カメラ１に入射した光を、前記カメラ受光面２Ａと前記ＩＤ信号受光面４Ａ１１とに同一の光軸を有するように入射させる為に、ハーフミラー等を用いても勿論よい。また、現実の実施においては、前記撮影レンズ１１を介して当該ＩＤ識別カメラ１に入射した光を、前記カメラ受光面２Ａと前記ＩＤ信号受光面４Ａ１１とに全く同一の光軸を有するように入射させる必要性は無く、略同一の光軸を有するように入射させればよい。
【００２４】
このように、前記撮影レンズ１１を介して入射した光を、前記カメラ受光面２Ａと前記ＩＤ信号受光面４Ａ１１とに同一又は略同一の光軸を有するように入射させることで、前記統括装置６は、前記撮影手段２によって取得した映像上における各々の像の位置と、前記受信装置４で受信したＩＤ信号の発信元の位置とを正確に対応づけることができる。
【００２５】
以下、前記ＩＤ信号受信装置４Ａの一構成例を説明する。図４は、前記ＩＤ信号受信装置４Ａの一構成例を示す図である。
【００２６】
同図に示すように、前記ＩＤ信号受信装置４Ａは、ＩＤ信号検出面４Ａ１と、感光素子４Ａ２と、ハイパスフィルタ４Ａ３と、デモジュレータ４Ａ４と、バッファメモリ４Ａ５と、ＭＰＵ４Ａ６と、を備える。
【００２７】
前記ＩＤ信号検出面４Ａ１としては、例えば図５を参照して後述するＩＤ信号送信装置２１における発光素子２１Ｄとして赤外線発光ダイオードを用いる場合には、可視光を遮断する光学フィルタを用いる。これにより、ＩＤ信号光と当該環境における可視光とが分離される。つまり、前記ＩＤ信号検出面４Ａ１は、ＩＤ信号光とその他の光とを分離して、ＩＤ信号光のみを抽出する為の部材である。
【００２８】
前記感光素子４Ａ２は、前記ＩＤ信号検出面４Ａ１を通過した光信号を電圧信号に変換する。
【００２９】
前記ハイパスフィルタ４Ａ３は、前記感光素子４Ａ２から出力された電圧信号について、低周波の成分を遮断する処理を行い、高周波成分のみを残す。この処理によって、バックグラウンドやそのゆっくりとした変動等の影響を除去する。
【００３０】
前記デモジュレータ４Ａ４は、前記ハイパスフィルタ４Ａ３から送信された信号の波形を再現してデジタル化する。
【００３１】
前記バッファメモリ４Ａ５は、前記デモジュレータ４Ａ４によってデジタル化された信号を一時格納する。
【００３２】
前記ＭＰＵ４Ａ６は、前記バッファメモリ４Ａ５から信号を読み出して、デコード処理によって誤り検出をおこなう。ここで、もし誤りが検出されない場合には、ＩＤ情報を抽出して、該ＩＤ情報を前記統括装置６に送信する。
【００３３】
以下、図５を参照して、前記受信装置４によって受信されるＩＤ信号を送信するＩＤ信号送信装置の一構成例を説明する。
【００３４】
同図に示すように、ＩＤ信号送信装置２１は、電源２１Ａと、ＲＯＭ２１Ｂと、ドライバ回路２１Ｃと、発光素子２ＩＤと、散乱板２１Ｅと、を有する。
【００３５】
前記電源２１Ａは、当該ＩＤ信号送信装置２１の動作に要する電力を供給する。
【００３６】
前記ＲＯＭ２１Ｂは、後述するドライバ回路２１Ｃによって所定の発光パターンに変換されるＩＤ情報を保持している。なお、このＲＯＭ２１Ｂが保持しているＩＤ情報は、各々のＩＤ信号送信装置２１ごとに互いに異なるＩＤ情報である。
【００３７】
前記ドライバ回路２１Ｃは、前記ＲＯＭ２１Ｂが保持しているＩＤ情報を読み取り、発光素子２ＩＤの発光パターンに変換して、前記発光素子２ＩＤを点滅させる。従って、各々のＩＤ信号送信装置２１における発光素子２ＩＤは、互いに異なる経時的パターンで発光する。そして、各々のＩＤ信号送信装置２１は、この発光パターンによって、ＩＤ情報をＩＤ信号光として送信する。
【００３８】
前記散乱板２１Ｅは、このＩＤ信号光をより広範囲の空間に発信する為の部材である。つまり、この散乱板２１Ｅによって、当該発光素子２ＩＤにおける発光面積を実質的に拡大し、より広範囲の空間にＩＤ信号光を飛ばすことが可能となる。換言すれば、この散乱板２１Ｅにより、発光素子２ＩＤからのＩＤ信号光が何らかの障害物によって遮られる確率が低くなる。従って、例えば当該ＩＤ信号送信装置２１における発光素子２ＩＤを監視対象者の肩部に取り付ける場合であっても、ＩＤ信号光が当該監視対象者の頭部等によって遮られることで通信不能となってしまうことを防ぐことができる。
【００３９】
なお、上述したように、発光素子２ＩＤとして例えば赤外線発光ダイオードを用いた場合、前記ＩＤ信号受光面４Ａ１１に可視光を遮断するフィルタを用いることで、ＩＤ信号光と当該環境から来る可視光とを容易に分離することができる。
【００４０】
このような構成とした場合、小出力でもＩＤ信号光を送信することが可能であり、送信の為の電力が少なくてすむ。従って、前記電源２１Ａとして、例えばソーラーセルを用いることも可能となり、この場合には電池交換が不要となる。
【００４１】
さらに、赤外線は、生地が薄手且つ薄い色の衣服であれば透過できる為、当該ＩＤ信号送信装置２１を、監視対象者の衣服の下に装着させることも可能である。従って、例えば清潔な衣服を着用しなければならない場合（例えば手術室やクリーンルーム等）に、当該ＩＤ信号送信装置２１を特に滅菌処理や清浄化処理せずに衣服の下に取り付けることが可能となる。
【００４２】
以下、前記ＩＤ信号送信装置２１によるＩＤ信号光の送信タイミングの一例を、図６に示すタイミングを参照して説明する。
【００４３】
図６に示すように、ＩＤ信号送信装置２１がＩＤ信号光を送信する際には、送信休止時間をランダムに設ける。具体的には、図６に示す送信タイミングのように、常時送信を続けずに、例えば数十ミリ秒乃至百数十ミリ秒程度の休止期間を挿入して、送信を行なう。
【００４４】
これにより、複数のＩＤ信号送信装置２１が常に同時に送信を行ってしまうことに起因して、それらＩＤ信号送信装置２１が送信するＩＤ情報を、前記受信装置４が受信できないという事態が生じないようにする。
【００４５】
換言すれば、図６に示すようなＩＤ信号光の送信タイミング制御を行うことで、或るＩＤ信号送信装置２１がＩＤ信号光の送信を繰り返し実行している間に、他のＩＤ信号送信装置２１が休止中となり、前記或るＩＤ信号送信装置２１が単独でＩＤ信号光の送信を行うという事象が生じる。このとき、ＩＤ信号が正しく前記受信装置４によって受信される。
【００４６】
なお、ＩＤ信号送信装置２１が送信するＩＤ信号光は、個々のＩＤ信号送信装置２１ごとに付与されたＩＤ情報を、誤り検出符号でコード化（エンコード処理）した信号光である。このＩＤ信号光は僅かな情報量であるため、送信には例えば数ミリ秒あれば十分である。従って、図６に示すような送信タイミングが可能となる。
【００４７】
また、図６に示す送信タイミングのように常時送信を続けないで、例えば数十ミリ秒乃至百数十ミリ秒程度の休止期間を挿入することによって、当該ＩＤ信号送信装置２１の消費電力を大幅に低減するという効果も生じる。
【００４８】
その結果、前記電源２１Ａとして例えば電池を用いる場合には、電池交換無しに連続使用できる時間を伸ばすことができる。他方、前記電源２１Ａとして例えばソーラーセルを用いる場合には、ソーラーセルの面積を小さくして当該ＩＤ信号送信装置２１を小型化し、監視対象者に装着しやすく構成することが可能となる。
【００４９】
なお、図７は、前記撮影手段２によって取得した映像と、前記ＩＤ信号光の発光位置とを重ねて示した図である。換言すれば、図７は、前記撮影手段２によって取得した映像と、ＩＤ信号光との対応を示す図である。ここで、例えばＩＤ信号光が赤外線である場合、当然ながら前記撮影手段２によって取得した映像上ではＩＤ信号光を認識することは出来ない。
【００５０】
また、図８は、図７に示す例においてＩＤ信号受光面４Ａ１１に投影されるＩＤ信号光を模式的に示す図である。この図８においては、ＩＤ信号受光面４Ａ１１は、３×３＝９チャネルのＩＤ信号受信装置４Ａに対応している。
【００５１】
具体的には、図８は全部で４個のＩＤ信号送信装置２１からのＩＤ信号光が投影される位置を示しており、同図における左上のチャネルでは２つのＩＤ信号光を受光している。そして、そのうちの一方は、当該ＩＤ信号送信装置２１を装着している人間の頭部によって部分的に隠されている為に一部欠けており且つ少し暗くなっている。
【００５２】
それぞれのチャネルのＩＤ信号検出面４Ａ１に投影されたＩＤ信号光は、そのチャネルによって検出される。ただし、一つのチャネルにおいて、当該チャネル内における何れの位置にＩＤ信号光が投影されているかを検知することまではできない。しかしながら、チャネル数を増加させる（ＩＤ信号受信装置４Ａの数を増加させる）ことで、当該受信装置の空間分解能を向上させることは勿論可能である。
【００５３】
なお、詳細は後述するが、図８に示す図は説明の為に便宜的に示した図であって、実際には複数のＩＤ信号光を同時に受信することは無い。
【００５４】
以下、前記ＩＤ信号受信装置４Ａにおける前記ＭＰＵ４Ａ６による処理を、図９に示すフローチャートを参照して説明する。
【００５５】
まず、特定の周波数の変動成分が入力されるまで待つ（ステップＳ１）。続いて、入力された信号をＩＤ信号であると仮定して誤り検出を行う（ステップＳ２）。そして、このステップＳ２において実行した誤り検出の結果に基づいて、誤りがあるか否かを判断する（ステップＳ３）。このステップＳ３をＹＥＳに分岐する場合は、当該信号を受信しなかったものとみなし（ステップＳ５）、前記ステップＳ１へ戻る。一方、前記ステップＳ３をＮＯに分岐する場合は、当該信号からＩＤ識別情報を取り出して前記統括装置６に送信し（ステップＳ４）、前記ステップＳ１へ戻る。
【００５６】
このように、前記ＩＤ信号受信装置４Ａは、ＩＤ信号光を正しく受信できなかった場合や、複数のＩＤ信号送信装置２１からのＩＤ信号光を同時に受けてしまった場合には、当該ＩＤ信号光を誤りとして検出し、当該ＩＤ信号光を受信しなかったものとみなす。これにより、誤りやコリジョン（複数のＩＤ信号光が同時に発信されてしまって混乱すること）が生じる可能性を排除する。
【００５７】
以下、前記統括装置６による処理について説明する。
【００５８】
前記統括装置６はコンピュータにより構成されており、前記撮影手段２から送信される映像情報をリアルタイムで受信する。さらに、統括装置６は、全てのＩＤ信号受信装置４Ａから送信されるＩＤ識別情報を受信し、当該ＩＤ識別情報が何れのＩＤ信号受信装置（チャネル）４ＡからのＩＤ識別情報であるかを、いつ当該ＩＤ識別情報が得られたか（時刻）と共に、統括装置６内に設けられたメモリに一時的に記録する。
【００５９】
そして、これらの情報を使ってＩＤ信号送信装置２１の最新の位置を判定する（図１０を参照して詳述する）。なお、この判定結果は記録しても良いし、また判定結果を前記映像情報上に重畳して表示しても良いし、更にこの重畳により作成した映像を記録しても勿論良い。
【００６０】
以下、統括装置６によるＩＤ信号送信装置２１の最新の位置を判定する方法の一例を説明する。
【００６１】
図１０（ａ）は、各々のＩＤ信号検出面４Ａ１に付与されたチャネル番号を示す図であり、図１０（ｂ）は、統括装置６によるＩＤ信号送信装置２１の最新の位置を判定する方法の一例を示す図である。
【００６２】
すなわち、統括装置６は、各々のＩＤ信号送信装置２１からのＩＤ信号光がどのＩＤ信号検出装置４Ａ１（チャネル）によりいつ検出されたかを示すデータを、例えば図１０（ｂ）に示すように保持しておく。なお、図１０（ｂ）では、最新のデータから過去３秒分のデータまでを示している。
【００６３】
そして、統括装置６は、各々のＩＤ信号送信装置２１の位置を判定する際には、例えば図１０（ｂ）に示すような各々のＩＤ信号送信装置２１からのＩＤ信号光の検出記録を、時系列的に最新のデータから順次遡っていき、各々のＩＤ信号送信装置２１からのＩＤ信号光が検出された最新のデータを用いて、各々のＩＤ信号送信装置２１の位置を判定する。
【００６４】
すなわち図１０（ｂ）に示す例では、統括装置６は、
・ＩＤ１２９のＩＤ信号送信装置２１は、チャネル８のＩＤ信号受信装置４Ａで検出された。
【００６５】
・ＩＤ０２６のＩＤ信号送信装置２１は、チャネル１のＩＤ信号受信装置４Ａで検出された。
【００６６】
・ＩＤ３１５のＩＤ信号送信装置２１は、チャネル１のＩＤ信号受信装置４Ａで検出された。
【００６７】
・ＩＤ１０８のＩＤ信号送信装置２１は、チャネル６のＩＤ信号受信装置４Ａで検出された。
【００６８】
と判定する。この判定結果を、図１０（ａ）に示す各チャネルの位置に対応させて矩形内に表現すると、図１１に示すようになる。そして、さらに前記撮影手段２によって取得した映像情報と重畳して表現すると、例えば図１２に示すようになる。
【００６９】
この図１２に示すように映像とＩＤ識別情報の位置とを重ね合わせて表示することで、“映像中の個々の人が誰であるか”を容易に一覧できる。
【００７０】
具体的には、図１２に示す例においては、ＩＤ０２６のＩＤ信号送信装置２１を装着している人間とＩＤ３１５のＩＤ信号送信装置２１を装着している人間とが、共にチャネル１のＩＤ信号受信装置４Ａによる検出範囲内に位置している。この為、当該映像に映っているどちらの人間がどちらのＩＤ番号のＩＤ信号送信装置２１を装着している人間であるかまでは識別できないが、時間が経ってこれらの人間が移動すれば、識別可能となる。
【００７１】
なお、図１２は、受信装置４が９つのＩＤ信号受信装置４Ａを有している例、つまりチャネル数が９チャネルの例を示しているが、より多くのＩＤ信号受信装置４Ａを設けてチャネル数を増加させて空間分解能を向上させることで、多数の人間が密集して位置している場合であっても、各々の人間を個別に識別できる可能性を高めることができる。
【００７２】
図１３は、ＩＤ番号の代わりに当該ＩＤ信号送信装置２１を装着している人間の氏名を、前記撮影手段２により取得した映像上の当該人間の像に重畳して表示する例を示している。
【００７３】
このようにＩＤ番号を表示する代わりに氏名を表示するには、予めＩＤ信号送信装置２１のＩＤ番号と、それを装着する人間の氏名との対応表（データベース）を作成しておく必要がある。例えば、各個人が常にそれぞれ専用のＩＤ信号送信装置２１を装着するとした場合、当該データベースを一度作成すれば良い。
【００７４】
ところで、本第１実施形態に係る個体情報識別システムの現実の運用に際しては、監視対象者はＩＤ信号送信装置２１を必要な時だけ装着する方が便利であり、またＩＤ信号送信装置２１の故障及び交換が必要になる可能性があることを鑑みると、同一人物が常に同一のＩＤ番号を付与されたＩＤ信号送信装置２１を装着するとは限らない。
【００７５】
このような事情を鑑みると、現実の運用に際して前記データベースを作成する為には、各々のＩＤ信号送信装置２１に付与されたＩＤ番号と、それを装着する人間の氏名との対応表を随時作成する必要がある。
【００７６】
以下、各々のＩＤ信号送信装置２１に付与されたＩＤ番号と、それを装着する人間の氏名との対応表を容易に作成する為の登録装置について、図１４を参照して説明する。
【００７７】
同図に示すように、登録装置３１は、ＩＤ信号受信装置４Ａと、磁気カード読み取りスロット３１Ａとを有する。そして、登録装置３１は、本第１実施形態に係る個体情報識別システムが適用されたエリアへの出入り口扉における電磁ロック及びその解除を行う。
【００７８】
実際の運用においては、ＩＤ信号送信装置２１を肩部等に装着した監視対象者４１は、本第１実施形態に係る個体情報識別システムが適用されたエリアへの入室に際して、出入り口扉の電磁ロックを解除する為に、例えば身分証カード等の磁気カード３３を登録装置３１の磁気カード読み取りスロット３１Ａに通し、且つＩＤ信号受信装置４ＡによりＩＤ信号送信装置２１からのＩＤ信号光が受信されると、当該登録装置３１は電磁ロックの解除を行うと共に、ＩＤ信号受信装置４Ａが検出したＩＤ信号送信装置２１からのＩＤ情報と、磁気カード３３から読み出した個人特定情報（氏名等）とを対応付けて作成したＩＤ対応情報を、統括装置６に送信する。
【００７９】
このＩＤ対応情報により、統括装置６は、上述した監視対象者の同定処理の際に、ＩＤ信号送信装置２１から得られるＩＤ情報のみに基づいて、それぞれのＩＤ信号送信装置２１を装着している人間の氏名等を特定することができる。
【００８０】
以上説明したように、本第１実施形態によれば、監視用カメラで撮影して取得した映像中に映っている人物等を、単に当該映像を目視することのみで同定できることができる個体情報識別システムを提供することができる。
【００８１】
具体的には、本第１実施形態に係る個体情報識別システムによれば、例えば手術室や工場等、複数の人間や機器等が動きながら共同作業する場面を映像によって監視する場合、つまり監視用カメラの映像だけからは当該映像に映っている人間や物が何であるかを同定するのが容易でない場合であっても、当該映像中に写っている人間や物が何であるかを自明に同定できるようになる。
【００８２】
［第２実施形態］
以下、本発明の第２実施形態に係る個体情報識別システムを説明する。なお、本第２実施形態に係る個体情報識別システムの特徴部に焦点を当てる為に、前記第１実施形態に係る個体情報識別システムとの相違点のみを説明する。
【００８３】
前記第１実施形態に係る個体情報識別システムとの主な相違点の一つは、本第２実施形態に係る個体情報識別システムでは、前記第１実施形態において用いたＩＤ識別カメラ１の代わりに、後述する平行視野ＩＤ識別カメラ５０を用いる点である。
【００８４】
ここで、平行視野ＩＤ識別カメラ５０について説明する。平行視野ＩＤ識別カメラ５０とは、図１５に示すように、前記第１実施形態において説明したＩＤ識別カメラ１に、正射影アダプタ５２を更に設けたカメラである。この正射影アダプタ５２は、図１５に示すように、例えばフレネル凸レンズ５２Ａと凹レンズ５２Ｂとを備える。
【００８５】
以下、この正射影アダプタ５２の構成について、図１６に示す一構成例及び図１７に示す一構成例を参照して説明する。
【００８６】
まず、図１６に示す正射影アダプタ５２の構成は、正射影アダプタ５２の原理を示す為の構成である。同図に示す構成例では、単一のフレネル凸レンズ５２Ａによって正射影アダプタ５２を構成している。
【００８７】
すなわち、前記フレネル凸レンズ５２Ａの焦点距離ｆの位置に、カメラ（最も単純なカメラとしてピンホールカメラを想定しても良い）の瞳Ｅを置く。そして、光軸ｘに平行に並んだ被写体Ｐ，Ｑの虚像が、前記瞳Ｅから見て同一直線上に生じるので、前記瞳Ｅからは、同図において前記フレネル凸レンズ５２Ａの左側の点模様で示す空間を正射影した像を観察することになる。
【００８８】
この作用は、Ｘ軸と平行に並んでいるあらゆる被写体に対しても同様に生じるので、得られる像は、同図に示す前記フレネル凸レンズ５２Ａの左側の点模様で示す空間を正射影した像、つまりこの空間をＸ軸上の右方無限遠の距離から望遠したときに得られる像と同等である。
【００８９】
なお、正射影できる空間を大きくするために、前記フレネル凸レンズ５２Ａは大口径であることが望ましく、また、正射影アダプタ５２を小型化する為には前記フレネル凸レンズ５２Ａの焦点距離が短いことが望ましい。このような事情から、前記フレネル凸レンズ５２Ａは、フレネルレンズによって構成されている。
【００９０】
ところで、図１６に示す構成では、被写体Ｐ，Ｑは、フレネル凸レンズ５２Ａの焦点距離ｆに比較して、フレネル凸レンズ５２Ａに近い位置にあることが必要であり、さらに前記瞳Ｅ点に置くカメラは非常に広角である必要があるという構成上の課題が生じる。
【００９１】
一方、図１７に示す正射影アダプタ５２の構成は、より実用的な構成である。すなわち、図１７に示す構成では、凹レンズ５２Ｂを設けることで前記課題を解決する。
【００９２】
すなわち、焦点距離ｆ１を持つ前記フレネル凸レンズ５２Ａと、焦点距離ｆ２を持つ凹レンズ５２Ｂ（凹レンズなので焦点距離ｆ２は負の値である）を組み合わせることで、公知の地上望遠鏡（正立虚像を生じる）に準じる光学系を構成する。これにより、同図に示すように、光軸Ｘに平行に並んだ被写体Ｐ，Ｑの虚像Ｐ’，Ｑ’は、瞳Ｅから見て直線上に来る。
【００９３】
この為、カメラ（最も単純なカメラとしてピンホールカメラを考えても良い）の瞳をＥに置き、当該カメラの光軸をＸ軸に一致させると、被写体Ｐ，Ｑの虚像Ｐ’とＱ’とは正確に重なって写る。この作用は、Ｘ軸と平行に並んでいるあらゆる被写体に対しても同様に生じるので、当該カメラで得られる像は、同図において前記フレネル凸レンズ５２Ａの左側の点模様で示す空間を正射影した像、つまりこの空間（撮影範囲）をＸ軸上の右方無限遠の距離から望遠したときに得られる像と同等である。
【００９４】
撮影範囲を大きくする為に、フレネル凸レンズ５２Ａは大口径であることが望ましく、また、正射影アダプタ５２を小型化するためにはフレネル凸レンズ５２Ａの焦点距離ｆ１が短いことが望ましい。この為、フレネル凸レンズ５２Ａは、フレネルレンズによって構成されている。
【００９５】
図１８は、上述した平行視野ＩＤ識別カメラ５０によって撮影される空間を示す図である。
【００９６】
同図に示すように、平行視野ＩＤ識別カメラ５０が撮影する空間は、平行視野ＩＤ識別カメラ５０における対物レンズである前記正射影アダプタ５２が有するフレネル凸レンズ５２Ａを底面とした柱状の空間となる。同図に示す例では、前記フレネル凸レンズ５２Ａが正方形形状であるので、当該平行視野ＩＤ識別カメラ５０が撮影する空間は四角柱の空間５８となる。
【００９７】
なお、一つの室内を一台の平行視野ＩＤ識別カメラ５０でくまなくカバーしょうとすると、天井全体が一つのフレネルレンズになっているような、非常に大きなカメラが必要になってしまう。このような事情に鑑みて、本第２実施形態においては、図１９に示すように、平行視野ＩＤ識別カメラ５０をアレイ状に並べて利用する。
【００９８】
すなわち、本第２実施形態に係る個体情報識別システムにおいては、監視対象空間を真上（無限遠）から見た映像を取得する為に、図１９に示すように、平行視野ＩＤ識別カメラ５０を稠密に配列して平行視野ＩＤ識別カメラアレイ６０を形成する。このように平行視野ＩＤ識別カメラアレイ６０を形成することで、広い空間全体の正射影像を撮影することができる。
【００９９】
例えば、図１９に示すように配置した平行視野ＩＤ識別カメラアレイ６０を、対物レンズである前記フレネル凸レンズ５２Ａを下方（監視対象空間）に向けて、天井全面に取り付ければ、各々の平行視野ＩＤ識別カメラ５０による撮影範囲（四角柱空間）が互いに重なり合わないようにしつつ、当該監視対象空間全域を撮影範囲とすることができる。
【０１００】
そして、前記統括装置６は、図２０に示すように、個々の平行視野ＩＤ識別カメラ５０における撮影手段２が撮影して取得した映像情報を、単に各々の平行視野ＩＤ識別カメラ５０の位置に対応して配列するだけで、当該監視対象空間である室内空間全体を真上から正射影した像７０を合成処理により作成することができる。従って、平行視野ＩＤ識別カメラ５０を、必要な個数だけ当該監視対象空間の天井に並べて配列することによって、所望の広さの空間の正射影映像を取得することができる。
【０１０１】
詳細には、前記統括装置６は、全ての平行視野ＩＤ識別カメラ５０から送信されるデジタル動画映像である映像情報をリアルタイムで受信し、これら映像情報を上述したように合成して、単一の正射影デジタル動画映像を作成する。
【０１０２】
さらに、統括装置６は、平行視野ＩＤ識別カメラ５０が有する全てのＩＤ信号受信装置４Ａから送信されるＩＤ識別情報を受信し、該ＩＤ識別情報がどのＩＤ信号受信装置４Ａ（チャネル）からのＩＤ識別情報であるか、いつその情報が得られたか（時刻）と共に、統括装置６内に設けられたメモリに一時的に記録する。そして、これらの情報に基づいて、ＩＤ信号送信装置２１の最新の位置を判定する。なお、この判定結果を所定の記録手段に記録しても勿論良い。
【０１０３】
そして、前記判定結果を、前記単一の正射影デジタル動画映像上に重畳して表示する。なお、この重畳映像を記録しても良い。
【０１０４】
なお、統括装置６による合成処理によって作成された単一の正射影デジタル動画映像は、例えば図２１に示すような映像となる。なお、図２１は、前記平行視野ＩＤ識別カメラ５０を４×４で１６個配列した場合に、各々の平行視野ＩＤ識別カメラ５０により撮影された映像を合成して得られる単一の正射影デジタル動画映像の一例を示している。
【０１０５】
一方、通常のＩＤ識別カメラ１により取得された映像は、例えば図２２Ａ及び図２２Ｂに示すような映像となる。図２２Ａは、監視対象空間のうちの一部の空間を撮影する第１カメラにより取得された映像を示しており、図２２Ｂは、前記第１カメラの撮影範囲に隣接する領域（一部の領域は重複）を撮影する第２カメラにより取得された映像を示している。
【０１０６】
すなわち、図２２Ａ及び図２２Ｂに示す例では、二台のＩＤ識別カメラ（第１カメラ及び第２カメラ）１を用いてより広い範囲をカバーするように構成している。図２２Ａ及び図２２Ｂから分かるように、通常のＩＤ識別カメラ１により取得した映像では、それらの映像を各々のカメラの位置に対応して単純に配列するだけでは、当該監視対象空間全体を真上から見た場合の映像を合成処理により作成することはできない。また、二台のＩＤ識別カメラが取得した映像が部分的に重複している為、それらの映像を並べて表示しても、映像相互の対応が直感的に分かりにくく、一覧表示しにくいと言える。
【０１０７】
図２３は、本第２実施形態に係る個体情報識別システムにおいて、統括装置６による合成処理によって作成された単一の正射影デジタル動画映像に、ＩＤ信号送信装置２１からのＩＤ信号光の位置を重ねて示した図である。
【０１０８】
同図に示すように、正射影デジタル動画映像は、監視対象空間の真上からの正射影映像である為、主として次のような利点がある。
【０１０９】
（利点１）遠近法の効果が生じず、直感的に理解しやすい。
【０１１０】
（利点２）ＩＤ信号送信装置２１からの光が人体で遮られることが少ない。
【０１１１】
（利点３）監視対象者が手元で行っている作業等が、当該監視対象者の体に遮られて見えなくなることが生じにくい。
【０１１２】
図２４は、平行視野ＩＤ識別カメラ５０を４×４で１６台用いた構成であって、且つ各々の平行視野ＩＤ識別カメラ５０が１チャネルのＩＤ信号受信装置４Ａを有する構成の場合における、統括装置６による合成処理で作成された単一の正射影デジタル動画映像に、ＩＤ認識結果を重畳表示した一例を示す図である。同図に示すように、単一の映像中に全てのＩＤ認識結果を表示することができるので、一覧性が良好で視認しやすい表示となる。
【０１１３】
図２５は、平行視野ＩＤ識別カメラ５０を４×４で１６台用いた構成であって、且つ各々の平行視野ＩＤ識別カメラ５０が３×３で９チャネルのＩＤ信号受信装置４Ａを有する構成の場合において、統括装置６による合成処理で作成された単一の正射影デジタル動画映像の一例を示す図である。
【０１１４】
同図に示すように、各々の平行視野ＩＤ識別カメラ５０が３×３で９チャネルのＩＤ信号受信装置４Ａを有する場合には、図２３及び図２４に示すように各々の平行視野ＩＤ識別カメラ５０が１チャネルのＩＤ信号受信装置４Ａを有する場合に比べて、空間分解能が向上する。すなわち、監視対象者の位置をより詳細に把握することができる。
【０１１５】
図２６は、平行視野ＩＤ識別カメラ５０を４×４で１６台用いた構成であって、且つ各々の平行視野ＩＤ識別カメラ５０が３×３で９チャネルのＩＤ信号受信装置４Ａを有する構成の場合において、統括装置６による合成処理で作成された単一の正射影デジタル動画映像に、ＩＤ認識結果を重畳表示した一例を示す図である。図２５を参照して説明したように、各々の平行視野ＩＤ識別カメラ５０が１チャネルのＩＤ信号受信装置４Ａを有する場合に比べて空間分解能が向上する為、各々のＩＤ信号送信装置２１の位置をより詳細に特定することができる。
【０１１６】
このように、本第２実施形態に係る個体情報識別システムの利用状況に応じて適宜空間分解能を設定すればよい。図２６に示す例では、結果として１２×１２チャネルのＩＤ信号受信装置４Ａによって、当該監視対象空間における監視対象者の監視に十分な空間分解能を得ている。
【０１１７】
以上説明したように、本第２実施形態によれば、前記第１実施形態に係る個体情報識別システムと同様の効果を奏する上に、単一の正射影デジタル動画映像を容易に得ることができる個体情報識別システムを提供することができる。
【０１１８】
具体的には、本第２実施形態によれば、平行視野ＩＤ識別カメラ５０を用いることで、前記第１実施形態に係る個体情報識別システムに比べ、さらに識別性能が向上した個体情報識別システムを提供することができる。
【０１１９】
ここで、前記平行視野ＩＤ識別カメラ５０に関して、これに類似した呼称又は概念を有するカメラ（写真技術で言う“正射影カメラ”、コンピュータグラフィックスの分野で用いられる用語としての“正射影カメラ”、“平行投影カメラ”、及び“正射法カメラ”）との相違点を以下記す。
【０１２０】
（１）前記平行視野ＩＤ識別カメラ５０について
前記平行視野ＩＤ識別カメラ５０は、上述したように、当該カメラのレンズ開口を底面とする柱状の空間だけを撮影する特殊なカメラ（及びその光学系）である。なお、当然ながら前記ＩＤ信号受信装置４Ａ及び前記ビームスプリッタ１３は、この機能を実現する為の構成要件ではない。また、撮影する像には多少の歪みがあっても良い。
【０１２１】
（２）写真技術で言う“正射影カメラ”（Ｏｒｔｈｏｇｒａｐｈｉｃ  Ｐｒｏｊｅｃｔｉｏｎ  Ｃａｍｅｒａ）について
写真技術で言う“正射影カメラ”は、魚眼レンズにおいて、全天球の半分を平面に正射影した像を撮像面（フィルムなど）上に形成する光学系を指す。この光学系は、天球の明るさの分布を正確に測定できるという特長を持つことから、天文学や建築物の計測等に用いられる。従って、写真技術で言う“正射影カメラ”は、前記平行視野ＩＤ識別カメラ５０とは全く別の概念によるカメラである。但し、この“正射影カメラ”は、魚眼対物レンズと前記平行視野ＩＤ識別カメラ５０の光学系とを組み合わせたカメラであると、みなすこともできる。
【０１２２】
（３）コンピュータグラフィックスの分野で用いられる用語としての“正射影カメラ”、“平行投影カメラ”、及び“正射法カメラ”（何れもＯｒｔｈｏｇｒａｐｈｉｃ  Ｃａｍｅｒａ）について
コンピュータグラフィックスの分野で用いられる用語としての“正射影カメラ”、“平行投影カメラ”、及び“正射法カメラ”は、前記“平行視野ＩＤ識別カメラ（当該カメラのレンズ開口を底面とする柱状の空間だけを撮影する特殊なカメラ）”の性質を持ち、さらに、像に歪みが全く無いカメラを指す。ただし、このカメラは仮想的なカメラであり、レンダリング（計算によって像を生成する処理）の際に用いるカメラの数式モデルの性質を指す。従って、現実の光学系として構成したカメラである前記平行視野ＩＤ識別カメラ５０とは全く異なる。但し、前記平行視野ＩＤ識別カメラ５０の光学系は、このコンピュータグラフィックスの分野で用いられる用語としての“正射影カメラ”、“平行投影カメラ”、及び“正射法カメラ”のを現実の光学系として構成したもの（しかしながら、収差を完全に消したものではなく像に歪み等がある）であるとみなすことができる。
【０１２３】
以上説明したように、前記平行視野ＩＤ識別カメラ５０は、これに類似した呼称又は概念を有する前記の各カメラとは全く異なるものである。
【０１２４】
更に言えば、前記平行視野ＩＤ識別カメラ５０は、平行視野カメラの光学系と、ＩＤ識別カメラの構造とを組み合わせたカメラであるので、上述したＩＤ識別の機能を有する点においても、類似した呼称又は概念を有する前記の各カメラとは全く異なる。
【０１２５】
以下、平行視野ＩＤ識別カメラ５０に想到するまでの経緯及び特有の効果について説明する。
【０１２６】
ＩＤ識別カメラ１により撮影して取得した映像は、図２２Ａ及び図２２Ｂを参照して説明したように、通常のカメラにより撮影して取得した映像と同様、遠近法（パースペクティブ）の効果がある為に、視野の端部の方に映る被写体ほど、やや斜め上方向から見た映像になる。この為、ＩＤ信号送信装置２１が、当該ＩＤ信号送信装置２１を装着している監視対象者自身の頭部等に隠されてしまう場合が生じる。
【０１２７】
このような事情に鑑みると、ＩＤ信号送信装置２１からのＩＤ信号光を受信されやすくする為に、当該監視対象者を可能な限り真上方向から撮影するように構成することが望ましい。しかしながら、一台のＩＤ識別カメラ１によってこれを行うには、ＩＤ識別カメラ１を、無限遠（現実的には例えば数十メートル程度）の位置（高さ）に配置する必要があり、構成が極めて大きくなってしまう。
【０１２８】
そこで、多数のＩＤ識別カメラ１を天井に配置し、監視対象空間の認識を各々のＩＤ識別カメラ１によって分担して行う手法が考えられる。しかしながら、これら多数のＩＤ識別カメラ１による視野は、図２２Ａ及び図２２Ｂを参照して説明したように、相互に立体的に重なり合う。この為、同時に複数のＩＤ識別カメラ１が同一のＩＤ信号送信装置２１からのＩＤ信号光を認識することが生じてしまう。さらに、これら多数のＩＤ識別カメラ１により撮影された映像は、当然ながら互いに撮影アングルが異なっている為に一覧性が良好であるとは言えない。従って、当該映像と、ＩＤ識別されたＩＤ番号との対応関係を、視覚的且つ直感的に認識することが困難である。
【０１２９】
上述したような問題点を解決するのが前記平行視野ＩＤ識別カメラ５０であり、平行視野ＩＤ識別カメラ５０は、当該カメラの対物レンズを底面とする柱状の空間だけを撮影し、ＩＤ信号送信装置２１が存在する監視対象空間の一部分だけを監視する。
【０１３０】
そして、複数の平行視野ＩＤ識別カメラ５０を、全て同じ方向に向け且つ稠密に配列することで、ＩＤ信号送信装置２１が存在する監視対象空間を、重複なく且つ見落としなく、複数の平行視野ＩＤ識別カメラ５０によって分担して撮影することができる。
【０１３１】
さらに、平行視野ＩＤ識別カメラ５０は、撮影する空間を無限遠から見た映像を取得するので、前記統括装置６は、それら平行視野ＩＤ識別カメラ５０により取得した映像を、単に各々の平行視野ＩＤ識別カメラ５０の位置に対応して配列するだけで、当該監視対象空間である室内空間全体を真上から正射影した像を合成処理により作成することができる。
【０１３２】
このように、平行視野ＩＤ識別カメラ５０によれば、監視対象空間の何れの部分についても真上から見た映像を取得できる為、物や人等の陰になって隠されてしまい当該カメラに映らなくなってしまう部分を最小限にすることができる。
【０１３３】
以上、第１実施形態及び第２実施形態に基づいて本発明を説明したが、本発明は上述した実施形態に限定されるものではなく、本発明の要旨の範囲内で種々の変形及び応用が可能なことは勿論である。
【０１３４】
例えば、以下記すような変形例を挙げることができる。
【０１３５】
（第１変形例）
前記第１実施形態及び前記第２実施形態に係る個体情報識別システムの用途は、手術室や工場等の作業場の監視に限られない。例えばサッカー選手にＩＤ信号送信装置２１を装着させ、サッカーの試合場に前記第１実施形態及び前記第２実施形態に係る個体情報識別システムを適用すれば、当該サッカー試合の映像から選手を容易に自動識別できるようになる。
【０１３６】
（第２変形例）
前記第１実施形態及び前記第２実施形態に係る個体情報識別システムは、人物の識別だけでなく、物（可搬型の機器、道具、貨物、自動車、船舶、航空機等）や動物等の識別にも用いることができる。また、例えば人体や人型ロボットにおける四肢それぞれにＩＤ信号送信装置２１を取り付けることによって、四肢を個別に識別することも可能である。
【０１３７】
（第３変形例）
例えば１チャネルのＩＤ信号受信装置４Ａを有するＩＤ識別カメラ１を、監視対象空間である所定の部屋の出入り口等に設置することによって、当該出入り口を通過した人物や物等の識別を行い、監視対象空間の映像と共に、出入り口における識別結果も記録することができる。
【０１３８】
（第４変形例）
前記第１実施形態及び前記第２実施形態においては、ＩＤ識別カメラ１及び平行視野ＩＤ識別カメラ５０の構成として、ビームスプリッタ１３やハーフミラーを用いることで、通常の撮像用光学系とＩＤ信号光受信用光学系とが同一の光軸を持つ光学系になるように構成した例を示した。しかしながら、対物レンズの光軸に極めて近接した位置に、撮像用光学系とＩＤ信号受信用光学系とを配置して、近似的に同一の光軸を持つように構成しても勿論良い。
【０１３９】
（第５変形例）
ＩＤ信号送信装置２１が用いる信号光として、例えば可視光や紫外光等を用いても勿論良い。例えば、前記第１実施形態又は前記第２実施形態に係る個体情報識別システムを、水中や、霧の深い状況、又はＩＤ信号送信装置２１を生体内に埋め込む等して利用する場合、当該環境を透過しやすい波長の光等を選択すべきである。
【０１４０】
しかしながら、直進性の悪い波長（例えば電波等の回折が大きい？）を有するものを利用すると、ＩＤ信号送信装置２１の位置を判別することができない。
【０１４１】
（第６変形例）
各々のＩＤ信号送信装置２１が互いに異なる経時的パターンで発光することによってＩＤ信号光を送信する代わりに、各々のＩＤ信号送信装置２１が異なる波長の光を発光することによってＩＤ信号光を送信するように構成してもよい。
【０１４２】
（第７変形例）
正射影アダプタ５２において、対物レンズとしてフレネル凸レンズ５２Ａの代わりに、例えば凹面鏡（放物面鏡）を用いて構成してもよい。
【０１４３】
（第８変形例）
前記平行視野ＩＤ識別カメラアレイ６０を、監視対象空間に対して少なくとも２方向（例えば天井と壁面）に設置することによって、ＩＤ信号送信装置２１の概略位置を、三次元的に識別する構成としてもよい。
【０１４４】
（第９変形例）
平行視野ＩＤ識別カメラ５０の対物レンズの形状は正方形形状に限らず、例えば長方形形状、正六角形形状、及び正三角形形状等、平面形状で所定領域を稠密に埋められる形状であればどのような形状でもよい。また、複数の形状の組み合わせによって構成しても勿論よい。
【０１４５】
（第１０変形例）
前記第１実施形態及び前記第２実施形態においては、ＩＤ信号を送受信する為に光を用いた個体情報識別システムを説明したが、光の代わりに例えば超音波を用いてもよい。すなわち、この場合には超音波発振装置であるＩＤ信号送信装置２１はＩＤ信号を超音波によって送信し、ＩＤ信号受信装置（例えばマイクロフォン等）はその受信タイミングに基づいて、当該超音波の発振位置を判定する。
【０１４６】
なお、超音波の場合は光と異なり指向性に乏しい為、本第１０変形例においては、前記ＩＤ信号受信装置を当該個体情報識別システムを適用する部屋内の複数箇所に設置し、それら各ＩＤ信号受信装置が受信するエコーの強度を検出して位置を判定する。
【０１４７】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１４８】
【図１】本発明の第１実施形態に係る個体情報識別システムの一構成例を示す図。
【図２】撮影手段によって取得した映像の一表示例を示す図。
【図３】（ａ）は、受信装置が９チャネルのＩＤ信号受信装置により構成される場合のＩＤ信号受光面の一構成例を示す図。（ｂ）は、９チャネル分のＩＤ信号受信装置のＩＤ信号検出面を格子状に並べ且つチャネル番号を割り当てる一構成例を示す図。
【図４】ＩＤ信号受信装置の一構成例を示す図。
【図５】受信装置によって受信されるＩＤ信号を送信するＩＤ信号送信装置の一構成例を示す図。
【図６】ＩＤ信号送信装置によるＩＤ信号光の送信タイミングを示す図。
【図７】撮影手段によって取得した映像と、ＩＤ信号光の発光位置とを重ねて示した図。
【図８】ＩＤ信号受光面に投影されるＩＤ信号光を模式的に示す図。
【図９】ＩＤ信号受信装置におけるＭＰＵによる処理のフローチャートを示す図。
【図１０】（ａ）は、各々のＩＤ信号検出面に付与されたチャネル番号を示す図。（ｂ）は、統括装置によるＩＤ信号送信装置の最新の位置を判定する方法の一例を示す図。
【図１１】統括装置による判定結果を、図１０（ａ）に示す各チャネルの位置に対応させて矩形で表現して示した図。
【図１２】撮影手段により取得した映像を、図１１に示す図に重畳して示した図。
【図１３】ＩＤ番号の代わりにＩＤ信号送信装置を装着している人間の氏名を、撮影手段により取得した映像上の当該人間の像に重畳して表示する例を示した図。
【図１４】各々のＩＤ信号送信装置に付与されたＩＤ番号と、それを装着する人間の氏名との対応表を容易に作成する為の登録装置の構成を示す図。
【図１５】平行視野ＩＤ識別カメラの構成を示す図。
【図１６】正射影アダプタの一構成例を示す図。
【図１７】正射影アダプタの一構成例を示す図。
【図１８】平行視野ＩＤ識別カメラによって撮影される空間を示す図。
【図１９】平行視野ＩＤ識別カメラをアレイ状に並べて利用する様子を示す図。
【図２０】単一の正射影デジタル動画映像の合成方法を示す図。
【図２１】平行視野ＩＤ識別カメラを４×４で１６個配列した場合に、各々の平行視野ＩＤ識別カメラにより撮影された映像を合成して得られる単一の正射影デジタル動画映像の一例を示す図。
【図２２Ａ】監視対象空間のうちの一部の空間を撮影する第１カメラにより取得した映像を示す図。
【図２２Ｂ】第１カメラの撮影範囲に隣接する領域（一部重複した領域）を撮影する第２カメラにより取得した映像を示す図。
【図２３】第２実施形態に係る個体情報識別システムにおいて、統括装置による合成処理によって作成された単一の正射影デジタル動画映像に、ＩＤ信号送信装置からのＩＤ信号光の位置を重ねて示した図。
【図２４】各々の平行視野ＩＤ識別カメラが１チャネルのＩＤ信号受信装置を有する構成の場合において、統括装置による合成処理によって作成された単一の正射影デジタル動画映像に、ＩＤ認識結果を重畳表示した一例を示す図。
【図２５】４×４で１６個の平行視野ＩＤ識別カメラを用いた構成であって且つ各々の平行視野ＩＤ識別カメラが３×３で９チャネルのＩＤ信号受信装置を有する構成の場合において、統括装置による合成処理で作成された単一の正射影デジタル動画映像の一例を示す図
【図２６】４×４で１６個の平行視野ＩＤ識別カメラを用いた構成であって且つ各々の平行視野ＩＤ識別カメラが３×３で９チャネルのＩＤ信号受信装置を有する構成の場合において、統括装置による合成処理によって作成された単一の正射影デジタル動画映像に、ＩＤ認識結果を重畳表示した一例を示す図。
【符号の説明】
【０１４９】
１…ＩＤ識別カメラ、  ２…撮影手段、  ２Ａ…カメラ受光面、  ２Ｂ…カメラ制御装置、  ２ＩＤ…発光素子、  ４…受信装置、  ４Ａ…ＩＤ信号受信装置、  ４Ａ１…ＩＤ信号検出面、  ４Ａ２…感光素子、  ４Ａ３…ハイパスフィルタ、  ４Ａ４…デモジュレータ、  ４Ａ５…バッファメモリ、  ４Ａ６…ＭＰＵ、  ４Ａ１１…ＩＤ信号受光面、  ６…統括装置、  ８…光学系、  １１…撮影レンズ、  １３…ビームスプリッタ、  ２１…ＩＤ信号送信装置、  ２１Ａ…電源、  ２１Ｂ…ＲＯＭ、  ２１Ｃ…ドライバ回路、  ２１Ｅ…散乱板、  ３１…登録装置、  ３１Ａ…磁気カード読み取りスロット、  ３３…磁気カード、  ４１…監視対象者、  ５０…平行視野ＩＤ識別カメラ、  ５２…正射影アダプタ、  ５２Ａ…フレネル凸レンズ、  ５２Ｂ…凹レンズ、  ６０…ＩＤ識別カメラアレイ、  Ｅ…瞳、  Ｐ．Ｑ…被写体、  Ｐ’，Ｑ’…虚像、  ｆ１，ｆ２…焦点距離。
【図１】
0005253791.tif 000002
【図２】
0005253791.tif 000003
【図３】
0005253791.tif 000004
【図４】
0005253791.tif 000005
【図５】
0005253791.tif 000006
【図６】
0005253791.tif 000007
【図７】
0005253791.tif 000008
【図８】
0005253791.tif 000009
【図９】
0005253791.tif 000010
【図１０】
0005253791.tif 000011
【図１１】
0005253791.tif 000012
【図１２】
0005253791.tif 000013
【図１３】
0005253791.tif 000014
【図１４】
0005253791.tif 000015
【図１５】
0005253791.tif 000016
【図１６】
0005253791.tif 000017
【図１７】
0005253791.tif 000018
【図１８】
0005253791.tif 000019
【図１９】
0005253791.tif 000020
【図２０】
0005253791.tif 000021
【図２１】
0005253791.tif 000022
【図２２Ａ】
0005253791.tif 000023
【図２２Ｂ】
0005253791.tif 000024
【図２３】
0005253791.tif 000025
【図２４】
0005253791.tif 000026
【図２５】
0005253791.tif 000027
【図２６】
0005253791.tif 000028